(57)【要約】【課題】ゴルフ練習場の自打席で、様々な斜面形状での打撃練習ができ、かつスイング軌道の把握と矯正練習ができる多機能な携帯用の練習用具。【解決手段】本考案は、硬質スポンジ製のくさび型ブロック１で、側面３が直角三角形の形状を有し、斜面打ちに必要な高さの異なる複数のゴムティーを収納する貫通孔２が設けられている。個々のブロックの斜面４に足を乗せるか、重ねて直方体にしたブロックに足を乗せることで斜面を模擬し、傾きに合わせたゴムティーを使い斜面打ち練習ができる。ブロックの斜面を打者の前方に向けて、背面５を床面に着座させ、ヘッドのトウとヒール側を挟むように２個配置し、その間をスイングすることにより、ヘッドがブロックに接触した部位からスイング軌道が把握できる。配置したブロックの間隔を徐々に変えながらスイングすれば軌道の矯正練習ができる。さらに足の外縁にブロックの斜面を挟めばスエーの改善練習もできる多機能なゴルフ練習用くさび型ブロックである。【選択図】図１
0003137859.tif 000002
【実用新案登録請求の範囲】
【請求項１】
くさび型の側面３の形状が、異なる長さの三辺からなる直角三角形で、斜面４から背面５にかけてゴムティーを収納する複数の貫通孔２を等間隔に設けた、ゴルフの斜面打ち練習用くさび型ブロック。
【請求項２】
前記ブロックの鋭角部の角度が、足の平均的な背屈角度と略同等で、ブロック２個の斜面４同士を重ね合わせて、直方体のブロックを形成することを特徴とする、請求項１に記載するゴルフの斜面打ち練習用くさび型ブロック。
【請求項３】
前記ブロックの斜面４と背面５のなす角度が、ゴルフクラブの平均的ライ角度と略同等で、ブロックの斜面を打者の前方向に向け、背面を床面に着座させ、クラブヘッドのトウとヒールを挟むようにブロック２個を配置し、その間をスイングできることを特徴とする、請求項１、２に記載するゴルフのスイング軌道の把握と矯正練習用くさび型ブロック。
【請求項４】
硬質スポンジを素材とする請求項１、２、３に記載するゴルフ練習用くさび型ブロック。
【考案の詳細な説明】
【技術分野】
【０００１】  本考案は、ゴルフ練習場で様々な斜面形状での打撃練習ができ，かつスイング軌道の把握と矯正練習ができる携帯用の多機能なゴルフ練習用くさび型ブロックに関するものである。
【背景技術】
【０００２】  実際のゴルフコースでは，練習場のような平坦な地面が少ないので、斜面打ちの練習はゴルフ上達に欠かすことができないが、練習設備に恵まれていないのが現状である。斜面打ちの練習設備を備えるゴルフ練習場は極めて少ないばかりでなく、斜面の角度や方向を変えることが容易に出来ないため、斜面打ちの技術習得を困難にしている。【０００３】  踵やつま先に球を挟んで斜面打ちの練習をすることもできるが、足元が極めて不安定になり、足首の捻挫や靴のスパイクを損傷する危険があり、上級者が練習する場合に限られている。またコンクリートブロックや煉瓦の上に片足を乗せて行う練習では、足元は安定した姿勢で練習できるが、限られた斜面形状しか練習できない。また練習場のマットを損傷させたり、スパイクを磨耗させたりするので禁止している練習場もある。【０００４】  斜面打ちの練習装置として、従来の考案は、足元の床面をジャッキなどで機械的に傾ける装置などがある。しかし斜面形状の変更は容易ではなく、斜面を安定して支えられる装置は大きくて重く移動し難いので携帯には不向きで打席に持ち込んで練習することはできない（例えば、特許文献１参照。）。【０００５】  携帯できる斜面打ち練習用具の考案として、傾斜した踏み台を使い斜面を模擬したものがある。しかしこれは、足元のみを傾斜させ、球の位置は床面にあるので、斜面を模擬したことにはならない。特につま先上がりの斜面では、球がつま先と同等以上の高さでなければ練習効果がない。また足元やマットとの滑り止め対策として、踏み台表面や裏面にゴム製シートを貼り付けるためのコストを必要としている（例えば、特許文献２参照。）。【０００６】  前記と同様な形状を有するもので、つま先上がりを想定し、球の位置だけを斜面に留め足元は平坦な地表に立って練習する用具もある。斜面打ちにおいては、斜面に立つことで下肢の動きが制約を受け大きな重心移動ができなくなり、スイングしづらくなる。このことを練習で体感し、斜面におけるバランス感覚を養うためには、練習においても足元を傾斜面に立たせることが最重要となる。したがって足元が斜面上になければ斜面打ちの用具としては適さない。また材質を硬質プラスチックとしたことは、低価格、軽量化を図れるが前記考案と同様に滑り止めにゴムを貼るため、コスト増に繋がる（例えば、特許文献３参照。）。【０００７】  多くの初級ゴルファーは自分のスイング軌道とインパクト時のクラブフェースの向きを把握していないため、球の曲がりをコントロールできずに上達を妨げている。スイング軌道には、インツーイン、アウトサイドイン、インサイドアウトの３種類がある。またインパクト時の軌道とフェースの向きには、スクエア、オープン、クローズの３種類がある。打撃直後の飛球方向を表す出球と曲がり方を表す球筋は、これらの組合せで９種類のいずれかに決まる。したがって球筋からスイング軌道が判れば、インパクト時のフェースの向きが判ることになる。出球からスイング軌道は推定できるが、例えば、スライス、フェード、プッシュなどは風の影響などで曲がり方が変わるとスイング軌道は判別し難い場合がある。そこでインパクト前後のクラブヘッドの位置関係がわかれば、スイング軌道もより正確に把握できる。【０００８】  スイング軌道が判れば、球筋から容易にインパクト時のフェースの向きが推定できる。グリップする際のフェースの向き、スタンスの向き、手の返し動作などを調節することで、球の曲がり方をコントロールすることができるようになり、ゴルフ技術の向上が図れる。またスイング軌道を把握することにより、自分が望む持ち球に合わせて軌道を矯正することができる。【０００９】  スイング軌道を把握する方法は、高速度カメラでインパクト前後のクラブヘッドの動きを撮影する方法（例えば特許文献４参照。）や磁気あるいは光学的センサーを用いたものがある（例えば、特許文献５参照。）。またスイング軌道の矯正練習用具としてはスイングプレーンを模した環状軌道をなぞるもの（例えば、特許文献６参照。）などがある。さらに斜面打ちとスイング軌道の把握の両方ができる方法として、上述の床面をジャッキアップする装置にインパクト時の情報を得るセンサーを組み込んだものがある（例えば、特許文献７参照。）。【００１０】  前記の装置類は、練習施設の設備としては好適であるが、複雑な構造であり、比較的高価なものといえる。そしてこれらは、練習場へ携帯し、自打席で手軽に斜面打ちとスイング軌道の把握と矯正練習ができるものではない。本考案は、練習場へ携帯可能で斜面打ち練習とスイング軌道の把握と矯正練習が自打席においてできることを目的とする。【００１１】
【特許文献１】特開平１１−１９２６７公報  図２、３
【特許文献２】実開平３−１５５６５公報  図３、６
【特許文献３】実開平７−１７２７１公報  図４
【特許文献４】特開２００４−２４４８８公報  図１
【特許文献５】特開昭５８−４９１６３公報  図１
【特許文献６】特開平７−８５８７公報  図１
【特許文献７】実開平７−１３３７６公報  図１
【考案の開示】
【考案が解決しようとする課題】
【００１２】  ゴルフ練習場の自分の打席で、つま先上がり、つま先下がり、左足上がり、左足下がりなどの斜面打ちの練習をできるようにする。【００１３】  つま先上がり、つま先下がりの斜面打ちの練習では、足首の関節可動範囲に合わせて練習をできるようにする。【００１４】  ウッド、アイアン、パターまで全てのゴルフクラブにおいて、インパクト前後のスイング軌道が把握できると共にスイング軌道の矯正練習をできるようにする。【００１５】  練習用具は携帯できる大きさと重さで、練習場のマットや靴のスパイクを損傷することなく、滑らずに安全に練習をできるようにする。【００１６】  本考案は、上記課題を解決しゴルフ練習場の自打席で，様々な斜面を模擬した打撃練習ができ、かつスイング軌道の把握と矯正練習が可能となる携帯用の多機能なゴルフ練習用具を提供することを目的とする。
【課題を解決するための手段】
【００１７】  本考案は、図１に示すように、一対のくさび型ブロック１と高さの異なる複数の市販のゴムティー６、７、８で構成している。三辺の長さの異なる直角三角形を側面３の形状とする、くさび型ブロック１は、軽量で適度な弾力性と摩擦力を備えた硬質スポンジ製である。図２に正面図と図３に側面図を示す。くさび型ブロック本体には、斜面打ちに必要な複数のゴムティーをコンパクトに収納する貫通孔２が斜面４から背面５にかけて、均等な間隔で３箇所設けている。【００１８】  個々のブロックの斜面４につま先を乗せればつま先上がり、踵を乗せればつま先下がり、重ねて直方体にしたブロックに左足を乗せれば左足上がり、右足を乗せれば左足下がりなどの様々な斜面を模擬し、傾きに合わせた高さのゴムティーを用いることで斜面における打撃練習ができる。【００１９】  ブロックの斜面４を打者の前方向に向けて、背面５を床面に着座させ、クラブヘッドのトウとヒールを挟むようにブロック２個を配置し、その間をスイングすることにより、ヘッドがブロックに接触した部位でスイング軌道が把握できる。トウとヒールの前後に配置したブロックを各々左右に移動してインパクトゾーンを長くすることや、前後の間隔を徐々に狭めて配置し、ブロックに当たらないように打撃することで、より真直ぐなスイング軌道の矯正練習ができる。【００２０】  斜面打ちの練習に最低必要な３種類の高さの異なるゴムティーを、コンパクトに収納するために設けたブロックの貫通孔２に、ゴムティーを差し込んだ状態を図４に示す。もう一方のブロックを被せた状態を図５に示す。ゴルフ練習場へ携帯する際に便利な略直方体形状となる。被せたもう一方のブロックの空いた貫通孔を利用すれば、最大６種類の高さの異なるゴムティーが収納でき、多くの斜面形状を模擬できる。６種類のゴムティーを収納したブロックの平面図を図６に示す。高さの異なるゴムティーを互い違いに収納した様子が判るブロックの断面を図７に示す。
【考案の効果】
【００２１】  多機能なくさび型ブロックを用いた練習により、今まで練習場では出来なかった、左足上がり、左足下がり、つま先上がり、つま先下がりなど様々な斜面打ちの練習ができる。その結果、斜面に合わせた重心のかけ方が身に付き、傾斜地でのスイングの強さ、打ち出し方向などが判り距離感と方向性も向上する。【００２２】  またインパクトゾーン近傍にブロックを配置することで、ウッド，アイアン，パターなど全てのクラブでスイング軌道の把握と矯正練習ができ、球筋をコントロールすることができるようになる。【００２３】  斜面打ちに必要な複数のゴムティーは、重ねたブロックに収納でき、略直方体形状になり練習場への携帯に便利である。また硬質スポンジ製であるため、軽く、弾力性があるので打ち損ねても人体、クラブ、設備に損傷を与えることなく安全に練習できる。
【考案を実施するための最良の形態】
【００２４】  本ブロックはゴルフ練習場で用いるため、練習場のマットの上を滑ることなく、マットや靴のスパイクに損傷を与えないもので、さらに携帯の利便性から軽量でコンパクトなことが望まれる。またブロックには体重がかかるため、過度な変形をしない強度と足首への負担を軽減するための弾力性が必要となる。これらの条件に適合する素材は、エチレン・ビニル・アセテートやポリウレタンなどの硬質スポンジが最適である。【００２５】  左足上がりなどの斜面を模擬するために、ブロックを重ねてその上に足を乗せて使用することから、重ねた形状に安定性があることが望まれる。安定性のある形状としてはレンガ状の直方体がコンパクトで最適となる。くさび形状のブロックを２個重ねて直方体にするには、側面３の形状である三角形の一つの角度が９０°で三辺の長さが異なる直角三角形となる。【００２６】  本ブロックはくさび形状で、つま先上がり、つま先下がりなどの斜面を模擬するが、過度の傾斜は足首の損傷につながるので、安全性を考慮する必要がある。足の背屈角度と底屈角度を比べて、足首への負担が大きくならないように、可動角度が小さい方の背屈角度を、模擬する斜面の傾斜角度の限度とする。背屈角度の平均値は文献により様々で、欧米人では２０°アジア人では４５°とあり（例えば、非特許文献１参照。）、かなり幅があるので日本人に限定すると、平均値が２７°弱となる（例えば、非特許文献２参照。）。後に述べるライ角度との兼ね合いも考慮してくさび型の斜面の角度は、背屈角度２７°を丸めて３０°とした。したがって前述の９０°を組み合わせると、くさびの側面３は鋭角を３０°とする直角三角形の形状となる。【００２７】  つま先上がりの斜面打ちを練習する場合、足の背屈角度に相当する３０°は、足首に負担がかかることが懸念されるが、実際にはブロックがスポンジ製で弾力があることから体重が加わると傾斜は若干緩やかになる。また足を浅くブロックに乗せることで傾斜角度は容易に調節できるので、各自の足首の関節可動範囲内で練習することができる。【００２８】  スイング軌道を把握する練習では、図１２に示すクラブシャフトとヘッドの底面が作るライ角度１０と、斜面４と背面５に挟まれた角度とが略同じになる必要がある。この第一の理由は、スイング中にクラブシャフトが手前のヒール側ブロック１１に接触しないようにするためである。第二の理由は、ブロックの角度を目安にクラブシャフトのライ角度を合わせてセットアップすることである。ライ角度は、ドライバーからパターまで概ね５５°から６５°の範囲にあるので、ライ角度の平均を６０°とすると、くさび型ブロックの側面３の形状は、３０°６０°９０°の直角三角形になり、くさび型ブロックの最適な形状となる。【００２９】  本ブロックを斜面打ちの練習に用いるために、高さの異なる市販のゴムティーを複数個使用する。これらを携帯に便利なようにコンパクトに収納するため、ブロック本体にゴムティー収納用の貫通孔を斜面４から背面５にかけて均等な間隔で３箇所設ける。これにより一対のブロックで最大６個の高さの異なるゴムティーを収納することができる。なお斜面打ちの練習では最低３種類の高さの異なるゴムティーを必要とする。【００３０】  ���下に本ブロックを用いた斜面打ちの練習方法とスイング軌道の把握と矯正練習の方法を示す。【００３１】  つま先上がりの斜面打ちを模擬した練習方法を図８に示す。くさび型ブロックの鋭角部をつま先側に向け、両足のつま先をそれぞれのブロックに乗せる。ブロックより高いゴムティー８を使うことにより、つま先上がりの傾斜を模擬した打撃練習ができる。ブロックに土踏まずの部分まで深く乗せることにより急斜面のつま先上がりを模擬できる。【００３２】  つま先下がりの斜面打ちを模擬した練習方法を図９に示す。くさび型ブロックの鋭角部を踵側に向け、両足の踵をそれぞれのブロックに乗せる。低いゴムティー６を使いつま先下がりの斜面を模擬した打撃練習ができる。ブロックに土踏まずの部分まで深く乗せることにより急斜面のつま先下がりを模擬できる。【００３３】  左足上がりの斜面打ちを模擬した練習方法を図１０に示す。一対のくさび型ブロックを重ねて直方体形状にしたものに左足を乗せる。これにより身体が傾き傾斜を模擬できる。重ねたブロックの高さの半分程に球を置ける中位の高さのゴムティー７を使うことで左足上がりの斜面を模擬した打撃練習ができる。【００３４】  重ねた一対のブロックを左足から右足に移し変えれば、左足下がりの斜面打ちを模擬した練習方法を示す図１１になる。【００３５】  高さの異なるゴムティーを用いる理由は、第一に左足上がり，左足下がり、つま先上がりにおいて、斜面の傾きに球の高さを合わせるためである。第二は、つま先下がりの練習で、練習用マットの上に球を直接置いて打つと、ダフリショットをした場合、クラブヘッドのソールはマットに弾かれて滑り、確実にヘッドの芯で球を捕らえているか判別し難い。したがってヘッドの芯で球を捕らえた打撃感覚を明確に感じ、ダフリショットと区別するためにゴムティーを用いる必要がある。第三は、アイアンなどダウンブローに打ち込むショットでは、マット上に球を直接置くと、インパクト直後にマットと衝突し、ブロックと接触する機会が少なくなり、軌道の確認がし難くなるからである。【００３６】  スイング軌道を把握するためのくさび型ブロックの配置を図１２に示す。また上から見たブロックの配置を図１３に示す。ブロックの斜面４を打者の前方向に向けて、背面５を床面に着座させ、クラブヘッドのトウとヒールを挟むようにブロック２個を配置する。この二つのブロックは障壁となるため、高さはティーアップしたドライバーのトウより若干高く、長さはインパクトゾーン程度を必要とする。始めはブロックの間隔を広くとり、慣れてきたら徐々に間隔を狭めてスイングする。ブロックにクラブヘッドが接触した場合でも、ブロックは軽く弾力性のあるスポンジ製なのでクラブを損傷することは無い。またクラブヘッドとブロックは、セットアップ時に接触しない程度の隙間を空けるため、アイアンなどダウンブローにスイングしたクラブヘッドは、ブロックを上から下へ斜めに擦る接触となる。またドライバーはアッパーブローにスイングするため下から上への緩やかな傾きで擦る接触となり、いずれもブロックは軌道の外側へ僅かに押し出されて移動するが、弾かれて遠くへ飛ぶことは無い。仮に飛んだとしても軽いスポンジ製なので練習設備や人体に損傷���与えない。【００３７】  図１３において、スイングしたクラブヘッドが、インパクト前に前方トウ側のブロック１２に接触してから、インパクト後に手前ヒール側のブロック１１に接触するようなら、アウトサイドインの軌道１３である。インパクト前に手前ヒール側のブロック１１に接触してから、インパクト後に前方トウ側のブロック１２に接触するようなら、インサイドアウトの軌道１５である。稀に、インパクト前には前後のブロックに接触せずに、インパクト後にトウ側のブロックに接触する場合はインサイドアウト軌道で、ヒール側に接触する場合はアウトサイドイン軌道である。【００３８】  前後のブロックにクラブヘッドが接触しないでスイングできるようなら、インツーイン軌道１４でストレートな球筋である。しかしブロックに接触しないのにインパクト直後の出球の方向が左右のどちらかに曲がる場合は、ブロックの間隔が広すぎるためである。徐々にブロックの間隔を狭めることにより、スイング軌道が把握できる。また出球がストレートでその後に球が曲がるときは、インツーインの軌道ではあるが、インパクト時のクラブフェースの向きが軌道に対してスクエアではないからである。【００３９】  クラブヘッドがブロックの間を通過するとき、インパクト前にトウ側のブロック１２のみに接触する場合は、弱いアウトサイドイン軌道であり、フェード系の球筋に向いている軌道である。またインパクト前にヒール側のブロック１１のみに接触する場合は、弱いインサイドアウトの軌道でドロー系の球筋に向いている軌道である。【００４０】  アウトサイドインとインサイドアウトのスイング軌道の矯正は、図１４と図１５に示すブロックの配置で、ブロックに当たらないようにスイングすれば矯正練習ができる。球筋が曲がるようなら、クローズフェース１６、スクエアフェース１７、オープンフェース１８のうち、どのフェースの向きかを球筋から確認して、スタンス、グリップ、手の返し方などでフェースの向きを調整しながら、ブロックの間隔を徐々に狭めて練習する。この練習でストレートな球筋や好みの球筋での持ち球を練習することができる。図はアイアンの例であるがウッドでも同様な練習ができる【００４１】  パッティングの軌道矯正は、図１６と図１７に示すブロック配置で練習することができる。インパクト以降もパターヘッドが少し直進すると、球の方向性が良くなるので、フォロースルー側に長くブロックを配置して練習する。パッティングのスイング速度は遅いので、球筋は主にインパクト時のフェースの向きに影響を受ける。ブロックに接触しないようにスイングして、球が曲がるようならインパクト時のパターフェースが斜めになっているので、スタンスやグリップの調整をして真直ぐな球筋になるようにする。真直ぐな球筋がでるようになったら、ブロックの間隔を徐々に狭めて、パッティング軌道の精度向上を図る。【００４２】  上述の練習の他に本ブロックを用いると、バックスイングやフォロースルーで重心が過度に移動するスエーの改善ができる。図１８と図１９に左右のスエー改善練習用のブロック配置を示す。足の外縁にブロックを浅く挟んでスイングすると、足首の回外を制限するため膝が流れにくくなり、過度な重心移動を改善できる。【���０４３】  以上のように、くさび型ブロックは練習場での斜面打ちとスイング軌道の把握と矯正練習ができ、前述の課題を全て解決している。またブロックの配置を工夫すればバンカー廻りの変則的な斜面も模擬できる。さらにスエーの改善もできるなど多機能なゴルフ練習用くさび型ブロックである。【００４４】
【非特許文献１】Ｊ．ＣＡＳＴＡＩＮＧ他著  伊原英俊他訳「図解  関節・運動器の機能解剖  下肢編」２００３年  共同医書出版社  １４２頁
【非特許文献２】独立行政法人  製品評価技術基盤機構「人間特性データベース」２００３年  ｈｔｔｐ：／／ｗｗｗ．Ｔｅｃｈ．ｎｉｔｅ．ｇｏ．ｊｐ／ｈｕｍａｎ／
【実施例】
【００４５】  本ブロックの製作例を以下に述べる。素材は耐久性、弾力性、軽量性、無公害性に優れたエチレン・ビニル・アセテートの硬質スポンジとした。スポンジ硬度は体重９０ｋｇの人が、ブロック上に片足立ちしても大きな変形をしないものとして、アスカーＣ型硬度計で６０以上とした。硬質スポンジにしたことで表面の凸凹が、ブロックと床面、重ねたブロックの斜面同士、ブロックと靴などとの摩擦がよく働き滑らずに安全である。【００４６】  製作例の斜視図を図２０に示す。ブロックの幅は、足の乗せやすさと、重ねたブロックに３０ｃｍサイズの靴を履いて足を乗せ、体重９０ｋｇをかけてスイングしても、ずれ難く安定していることから１２０ｍｍとした。このブロックの幅は、スイング軌道の把握と矯正練習において、くさび型ブロックの斜面４を打者の前方向に向け、背面５を床面に着座させて、障壁代わりに使う場合のブロックの高さとなる。この高さは、ドライバーなどティーアップした球をインパクトするスイング軌道の障壁としての高さとしても好適である。【００４７】  くさび型ブロックは、側面３の形状を３０°の鋭角部分１９と９０°の直角部分２０の直角三角形にしたことで、幅である底辺が１２０ｍｍであるから、背面５の高さは６９ｍｍとなる。長手方向のブロックの長さは、斜面４同士を重ねて直方体にしたブロックに足を乗せても安定したスイングができる最小の長さとした。その結果、重ねたブロックに、踵が載れば靴の長さの８割で十分安定したスイングができることが判り、靴のサイズの上限を３０ｃｍとして、８割の２４０ｍｍとした。結果的にこの長さは、スイング軌道が把握できるインパクトゾーンの長さとしても適当となった。ゴムティー収納用の貫通孔は市販のゴムティーが挿入できる直径１６ｍｍとした。その結果、ブロック１個の重量は約１４５ｇとなった。【００４８】  斜面打ちに用いるゴムティーは市販品から、高さ３０ｍｍの低いもの２１、中位の高さの５０ｍｍ２２、８０ｍｍの高いもの２３を選択した。この他に、２０、４０、７０ｍｍ前後の高さの異なるゴムティーもブロックに収納でき、練習に利用できる。
【産業上の利用可能性】
【００４９】  本考案のくさび型ブロックは、足首の平均的な背屈角度に合わせた形状にしたため、図２１に示すような前屈用ストレッチャーとして利用できる。硬質スポンジを素材とするため適度な柔軟性があり、軽量、コンパクトで持ち運びに便利である。このブロックを用いた前屈は、ゴルフのみならず、あらゆるスポーツに必要な腰背部、臀部、ハムストリング、アキレス腱周りのストレッチが容易にできる。最近では骨盤矯正やダイエットにも効果が期待できることから、練習前だけでなく身近に置いて家庭でのストレッチングに活用できる。
【図面の簡単な説明】
【００５０】
【図１】くさび型ブロック一対と３種類の市販ゴムティーを示す図である。
【図２】同ブロックの正面図である。
【図３】同ブロックの側面図である。
【図４】同ブロックにゴムティーを収納した状態の図である。
【図５】同ブロックを重ねた携帯時の収納状態を示す斜視図である。
【図６】重ねた同ブロックに高さの異なる６種類のゴムティーを収納した平面図である。
【図７】図６の重ねたブロックの断面を示す図である。
【図８】つま先上がりの斜面打ちを模擬した練習方法を示す図である。
【図９】つま先下がりの斜面打ちを模擬した練習方法を示す図である。
【図１０】左足上がりの斜面打ちを模擬した練習方法を示す図である。
【図１１】左足下がりの斜面打ちを模擬した練習方法を示す図である。
【図１２】スイング軌道把握のためのブロック配置を示す側面図である。
【図１３】スイング軌道把握のためのブロック配置を示す平面図である。
【図１４】アウトサイドインの軌道を矯正するためのブロック配置を示す図である。
【図１５】インサイドアウトの軌道を矯正するためのブロック配置を示す図である。
【図１６】パッティング軌道を矯正するためのブロック配置を示す平面図である。
【図１７】パッティング軌道を矯正するためのブロック配置を示す側面図である。
【図１８】右スエーを改善するためのブロック配置を示す図である。
【図１９】左スエーを改善するためのブロック配置を示す図である。
【図２０】試作品のブロックー対と３種類のゴムティーを示す図である。
【図２１】ストレッチャーとして利用する場合の図である。
【符号の説明】
【００５１】１  くさび型ブロック
２  ゴムティー収納用貫通孔
３  側面
４  斜面
５  背面
６  低いゴムティー
７  中位の高さのゴムティー
８  高いゴムティー
９  高さの異なるゴムティー
１０  ライ角度
１１  ヒール側のブロック
１２  トウ側のブロック
１３  アウトサイドイン軌道
１４  インツーイン軌道
１５  インサイドアウト軌道
１６  クローズフェース
１７  スクエアフェース
１８  オープンフェース
１９  ３０°鋭角部分
２０  ９０°直角部分
２１  ３０ｍｍゴムティー
２２  ５０ｍｍゴムティー
２３  ８０ｍｍゴムティー
【図１】
0003137859.tif 000003
【図２】
0003137859.tif 000004
【図３】
0003137859.tif 000005
【図４】
0003137859.tif 000006
【図５】
0003137859.tif 000007
【図６】
0003137859.tif 000008
【図７】
0003137859.tif 000009
【図８】
0003137859.tif 000010
【図９】
0003137859.tif 000011
【図１０】
0003137859.tif 000012
【図１１】
0003137859.tif 000013
【図１２】
0003137859.tif 000014
【図１３】
0003137859.tif 000015
【図１４】
0003137859.tif 000016
【図１５】
0003137859.tif 000017
【図１６】
0003137859.tif 000018
【図１７】
0003137859.tif 000019
【図１８】
0003137859.tif 000020
【図１９】
0003137859.tif 000021
【図２０】
0003137859.tif 000022
【図２１】
0003137859.tif 000023